(57)【要約】      （修正有）【課題】一般家庭でも自律神経の不調による体調不良、不定愁訴または頸椎の歪みによる肩こりなどを改善することができる指圧具を提供する。【解決手段】指圧具１は、互いに直交するＸ軸とＹ軸とによって、時計回りに第１、第２、第３、第４の４つの象限に区分した場合に、Ｘ軸およびＹ軸の交点を中心に各象限にそれぞれ配置され、上方を向いた面が球面である４つの大球体１１〜１４と、大球体上に位置し、Ｘ軸およびＹ軸の交点を挟んでＸ軸状に整列し、大球体よりも径が小さい２つの小球体２１，２２とを備える。仰向けに寝た人の頭と首の背後に使用され、Ｙ軸が脊椎に沿って配置される場合に、頭部側に位置する２つの大球面体は、後頭骨筋を指圧し、２つの小球面体は、頸椎中央部の筋を指圧し、肩側に位置する２つの大球面体は、頸椎下部の筋を指圧する。【選択図】図２
0003212372.tif 000002
【実用新案登録請求の範囲】
【請求項１】
互いに直交するＸ軸とＹ軸とによって、時計回りに第１象限、第２象限、第３象限、第４象限の４つの象限に区分した場合に、Ｘ軸およびＹ軸の交点を中心に各象限にそれぞれ配置され、上方を向いた面が球面である４つの大球面体と、
前記大球面体上に位置し、Ｘ軸およびＹ軸の交点を挟んでＸ軸状に整列し、前記大球面体よりも曲率半径が小さく、上方を向いた面が球面である２つの小球面体とを備えた、指圧具。
【請求項２】
前記大球面体および前記小球面体は、球体である、請求項１に記載の指圧具。
【請求項３】
前記大球面体は、硬式テニス用ボールであり、前記小球面体は、卓球用ボールである、請求項１または２に記載の指圧具。
【請求項４】
当該指圧具は、仰向けに寝た人の頭と首の背後に使用され、Ｙ軸が脊椎に沿って配置される場合に、頭部側に位置する２つの前記大球面体は、後頭骨筋を指圧するものであり、前記２つの小球面体は、頸椎中央部の筋を指圧するものであり、肩側に位置する２つの前記大球面体は、頸椎下部の筋を指圧するものである、請求項１〜３のいずれかに記載の指圧具。
【請求項５】
前記２つの小球面体の間に形成される溝は、頸椎の棘突起を挟み込むものである、請求項４に記載の指圧具。
【考案の詳細な説明】
【技術分野】
【０００１】
この考案は、指圧具に関し、特に、仰向けに寝た人の頭と首の背後に使用される指圧具に関する。
【背景技術】
【０００２】
近年、自律神経の不調による体調不良、不定愁訴や頸椎の歪みによる肩こりなどの体の不調を訴える者が多い。このような場合、体の不調を訴える者は、整骨院などの専門医から按摩またはマッサージなどを施術してもらうことで、その症状を改善させている。
【０００３】
一方で、健康保持や疲労回復などの目的のために、身体の各部を指圧するための健康器具が知られている。このうち、首筋などの押圧に使用するものとして、たとえば、実用新案登録第３０２２５０２号公報（特許文献１）がある。
【０００４】
特許文献１には、４個の硬質テニスボールを接着して、平面視正方形形状に配置した健康押圧器が開示されている。
【先行技術文献】
【特許文献】
【０００５】
【特許文献１】実用新案登録第３０２２５０２号公報
【考案の概要】
【考案が解決しようとする課題】
【０００６】
特許文献１の健康押圧器は、硬質テニスボールが平板状に接着されているため、安定性がよいものの、単に不特定部位のツボを押圧することができるだけであり、自律神経の不調による体調不良、不定愁訴または頸椎の歪みによる肩こりなどを改善することができるものではない。
【０００７】
また、按摩やマッサージなどは、専門家が施術する必要があるため、一般家庭で実践することは困難である。
【０００８】
そこで、本考案は、上記のような課題を解決するためになされたものであって、その目的は、一般家庭でも自律神経の不調による体調不良、不定愁訴または頸椎の歪みによる肩こりなどを改善することができる指圧具を提供することである。
【課題を解決するための手段】
【０００９】
この考案のある局面による指圧具は、互いに直交するＸ軸とＹ軸とによって、時計回りに第１象限、第２象限、第３象限、第４象限の４つの象限に区分した場合に、Ｘ軸およびＹ軸の交点を中心に各象限にそれぞれ配置され、上方を向いた面が球面である４つの大球面体と、大球面体上に位置し、Ｘ軸およびＹ軸の交点を挟んでＸ軸状に整列し、大球面体よりも曲率半径が小さく、上方を向いた面が球面である２つの小球面体とを備えている。
【００１０】
好ましくは、大球面体および小球面体は、球体である。
【００１１】
好ましくは、大球面体は、硬式テニス用ボールであり、小球面体は、卓球用ボールである。
【００１２】
好ましくは、指圧具は、仰向けに寝た人の頭と首の背後に使用され、Ｙ軸が脊椎に沿って配置される場合に、頭部側に位置する２つの大球面体は、後頭骨筋を指圧するものであり、２つの小球面体は、頸椎中央部の筋を指圧するものであり、肩側に位置する２つの大球面体は、頸椎下部の筋を指圧するものである。
【００１３】
好ましくは、２つの小球面体の間に形成される溝は、頸椎の棘突起を挟み込むものである。
【考案の効果】
【００１４】
本考案によれば、自律神経の不調による体調不良、不定愁訴または頸椎の歪みによる肩こりなどを改善することができる指圧具を提供することができる。
【図面の簡単な説明】
【００１５】
【図１】本考案の実施の形態に係る指圧具を示す斜視図である。
【図２】本考案の実施の形態に係る指圧具を示す平面図である。
【図３】本考案の実施の形態に係る指圧具を示す正面図である。
【図４】本考案の実施の形態に係る指圧具を示す右側面図である。
【図５】本考案の実施の形態に係る指圧具を示す底面図である。
【図６】本考案の実施の形態に係る指圧具の使用状態を示す図である。
【図７】本考案の実施の形態に係る指圧具の使用状態を示す図である。
【図８】指圧具の小球体と頸椎との関係を示す模式図である。
【図９】本考案の実施の形態２に係る指圧具を示す平面図である。
【図１０】本考案の実施の形態３に係る指圧具を示す断面図である。
【図１１】体のつくりを模式的に示す図である。
【図１２】頭蓋骨の動きを模式的に示す図である。
【考案を実施するための形態】
【００１６】
本考案の実施の形態について図面を参照しながら詳細に説明する。なお、図中同一または相当部分には同一符号を付してその説明は繰返さない。
【００１７】
＜実施の形態１＞
本実施の形態では、体の不調などを改善する指圧具について説明する。指圧具の説明に先立ち、体のつくり、体の不調の原因および専門医の施術方法について説明する。
【００１８】
まず、図１１を参照して、体のつくりについて簡単に説明する。人間の中枢神経は、脳と脊髄である。中枢神経は、重要な器官であるため、三層からなる髄膜で覆われている。髄膜は、外側に脳や脊髄を保護し包み込む硬膜、その内側に毛細血管を含むクモ膜、さらに内側に頭蓋骨や頸椎の内側に付着した軟膜がある。クモ膜と軟膜の間の隙間のクモ膜下腔には、脳脊髄液が流れている。脳脊髄液は、水分が大半でタンパク質および糖をわずかに含む神経の栄養素である。脳脊髄液は、脳から仙骨にかけて脊髄のまわりを循環しており、神経に栄養を与えたり老廃物を取り除く新陳代謝の役割を担っている。そのため、脳脊髄液が循環不良になると、神経に栄養が供給されず、代謝機能は低下し神経の機能が衰えるため、体調不良となる。
【００１９】
このような脳脊髄液の循環不良は、「硬膜のねじれ」または「頭蓋骨の縫合の可動性の悪さ」によって起こる。
【００２０】
まず、硬膜のねじれについて説明する。上述のように、硬膜は、頭蓋骨や頸椎の内側に付着している。このため、頭蓋骨や頸椎にずれが生じると、硬膜にもねじれが生じ、上述したクモ膜下腔の幅が狭くなり、脳脊髄液の循環が悪くなる。
【００２１】
次に、頭蓋骨の縫合の可動性の悪さについて説明する。頭蓋骨は、１つの骨ではなく、複数の骨が組み合わされている。この頭蓋骨の骨の継ぎ目は、縫合と呼ばれている。アメリカのオステパシー医のウイリアム・サザーランドは、頭蓋骨の縫合に可動性を発見した。この頭蓋骨の縫合は、０．３ｍｍ〜０．８ｍｍ程度動くとされている。脳脊髄液は、その大半が第３脳室で作られ、クモ膜下腔に出て脊髄を循環し、脳の上矢状静脈洞で吸収される。脳脊髄液の生成は、吸収の倍の速さで行われているので、脳脊髄液が生成されて頭蓋骨の内側で充満すると、頭蓋骨が膨れて縫合に可動性が生じ、脳脊髄液が循環する。頭蓋骨は、脳脊髄液の量に合わせて、１分間に６〜７回伸縮運動している。この頭蓋骨の運動に伴って、脳脊髄液は、１分間に６〜１２回、通常は６〜７回循環している。脳脊髄液の循環が悪くなると、神経に十分な栄養が供給されないとともに老廃物が排出されず、神経機能が衰えて体に色々な神経障害が生じて、疾病があらわれる。
【００２２】
このような「硬膜のねじれ」または「頭蓋骨の縫合の可動性の悪さ」により生じた脳脊髄液の循環不良を改善して、色々な疾病や体調不良を改善する方法を「頭蓋仙骨療法」といい、オステオパシー・ドクターノジョン・Ｅ・アプレジャーが開発した。その療法の中に、脳脊髄液の循環のリズムを導く静止点誘導法（ＣＶ−４）がある。
【００２３】
図１２には、頭蓋骨の動きが表されており、破線は、頭蓋骨の可動域を示している。脳脊髄液が脳内のクモ膜下腔で充満すると、図１２（ｂ）の破線で示すように、頭蓋骨は横広がりのように膨れる（頭蓋骨の屈曲）。脳内に充満した脳脊髄液が、脳から脊髄に出て脳内に戻り脳の上矢状静脈洞から吸収されると、図１２（ａ）の破線で示すように、頭蓋骨はしぼむ（頭蓋骨の伸展）。頭蓋骨の屈曲と伸展が切り替わる時のわずかな停止のことを、静止点という。静止点誘導法とは、頭蓋骨を押圧することで、この静止点の停止時間を人為的に長くして、一時的に脳脊髄液の流れを止めた後、押圧をやめることで、脳脊髄液が勢いよく流れ出すという生理的作用を利用したものである。
【００２４】
静止点誘導法の具体的な手順としては、患者の後頭骨下部に、施術者の両拇指球を置いて、頭蓋骨の縫合を緩ませ、後頭骨が動くときに、その動きを止めるように両拇指球で５ｇ圧で押圧する。これにより、後頭骨の動きが停止して脳脊髄液の流れが一時的に止まり、頭蓋骨縫合に静止点が誘導される。後頭骨下部に置いた両拇指球に、頭蓋骨の膨張感がなくなったら、押圧を止める。これにより、脳脊髄液が勢いよく流れ出し、頭蓋骨の可動回数が増えて正常回数（たとえば、１分６〜７回）となる。その後は、頭蓋骨の動きに合わせて１０〜２０分間両拇指を動かす。
【００２５】
静止点誘導法により、脳脊髄液が活発に循環するため、全身の筋肉や関節が弛緩し、老廃物が除去されることで、頭がスッキリした状態になり、軽度の頭痛や肩こりから解消される。ただし、脳の血管障害である動・静脈留、脳血栓、脳腫瘍または高血圧者には、行ってはいけない。
【００２６】
このように、静止点誘導法は、専門家が施術する必要があるため、一般家庭で実践することは困難である。本実施の形態では、指圧具１を用いることで、一般家庭でも静止点誘導法に近い効果を得ることができる。以下に、指圧具１について、詳細に説明する。
【００２７】
図１〜図５を参照して、本実施の形態に係る指圧具１について説明する。指圧具１は、たとえば、仰向けに寝た人の頭と首の背後に使用されるものである。指圧具１は、４つの大球体１１〜１４と、２つの小球体２１，２２とを備える。
【００２８】
本実施の形態において、４つの大球体１１〜１４は、たとえば、球状であり、ゴム体と、ゴム体の内部の中空部とを有する弾性体である。４つの大球体１１〜１４は、すべて同一の大きさである。４つの大球体１１〜１４は、たとえば、直径が５５〜７０ｍｍであり、典型的には、直径が６５ｍｍの硬式テニス用ボールを用いることが好ましい。硬式テニス用ボールは、硬すぎないため、使用時に筋肉に緊張が生じることはなく、柔らかすぎないため、使用時に物足りなさを感じることもなく、不安定と感じることもない。なお、４つの大球体１１〜１４は、弾性体であれば、中空部を有しなくてもよい。
【００２９】
２つの小球体２１，２２は、たとえば、球状であり、プラスチック体と、プラスチック体の内部の中空部とを有する弾性体である。２つの小球体２１，２２は、たとえば、同一の大きさである。２つの小球体２１，２２は、４つの大球体１１〜１４よりも径が小さく、たとえば、直径が３０〜５０ｍｍであり、典型的には、直径が３８ｍｍの卓球用ボールを用いることが好ましい。卓球用ボールは、硬式テニス用ボールと同様に、硬すぎないため、使用時に筋肉に緊張が生じることはなく、柔らかすぎないため、使用時に物足りなさを感じることがなく、不安定と感じることもない。なお、２つの小球体２１，２２は、弾性体であれば、中空部を有しなくてもよい。
【００３０】
図２を参照して、指圧具１は、たとえば、４つの第１〜４大球体１１〜１４が略正方形となるように平面上に配置されて固定され、第１，４大球体１１，１４および第２，３大球体１２，１３で形成される左右方向に延びる溝部上に第１，２小球体２１，２２が配置されて固定されている。
【００３１】
本明細書では、図２に示す平面視において指圧具１の左右方向にＸ軸を設定し、指圧具１の上下方向にＹ軸を設定して、ＸＹ座標を表現する。互いに直交するＸ軸とＹ軸とによって４つの象限に区分され、図２の紙面左上に位置する象限を第１象限とした場合に、時計回りに第２象限、第３象限、第４象限と定義する。
【００３２】
第１〜４大球体１１〜１４は、Ｘ軸およびＹ軸の交点を中心に各象限にそれぞれ配置される。つまり、第１大球体１１は、第１象限に配置され、第２大球体１２は、第２象限に配置され、第３大球体１３は、第３象限に配置され、第４大球体１４は、第４象限に配置されている。本実施の形態では、第１〜４大球体１１〜１４は、Ｘ軸およびＹ軸にそれぞれ接している。つまり、Ｘ軸を挟んで、第１大球体１１と第４大球体１４とは接しており、第２大球体１２と第３大球体１３とは接している。Ｙ軸を挟んで、第１大球体１１と第２大球体１２とは接しており、第３大球体１３と第４大球体１４とは接している。これにより、Ｘ軸およびＹ軸に沿って溝部が形成されている。
【００３３】
第１，２小球体２１，２２は、Ｘ軸およびＹ軸の交点を挟んでＸ軸上に整列している。つまり、第１小球体２１は、第１象限と第４象限との間を通るＸ軸上に配置され、第２小球体２２は、第２象限と第３象限との間を通るＸ軸上に配置されている。本実施の形態では、第１，２小球体２１，２２は、Ｙ軸を挟んで接している。さらに、第１小球体２１の下方は、第１，４大球体１１，１４と接しており、第２小球体２２の下方は、第２，３大球体１２，１３と接している。これにより、２つの第１，２小球体２１，２２は、４つの大球体１１〜１４上で保持される。
【００３４】
第１〜４大球体１１〜１４および第１，２小球体２１，２２の接点は、たとえば、ボンドなどの合成樹脂接着剤により接着されている。
【００３５】
図６〜図８を参照して、指圧具１の使用方法について説明する。
【００３６】
指圧具１を使用するには、図６，図７に示すように、指圧具１を床に置き、指圧具１が使用者の頭と首の背後に位置するように仰向けに寝る。この場合、図２に示すＹ軸が脊椎に沿って配置するように設定する。これにより、頭部側に位置する第１，２大球体１１，１２は、後頭骨筋を指圧し、第１，２小球体２１，２２は、頸椎中央部の筋を指圧し、肩側に位置する第３，４大球体１３，１４は、頸椎下部の筋を指圧する。
【００３７】
第１，２大球体１１，１２が後頭骨頭部の後頭骨筋に当たることで、上述した静止点誘導法を行うことができる。すなわち、第１，２大球体１１，１２により後頭骨筋が指圧されることにより、後頭骨が押圧されて、後頭骨後方の動きが一時的に止められる。これにより、頭蓋骨内の脳脊髄液圧が向上して、押圧力以上となり、脳脊髄液が勢いよく流れ出す。このように、頭蓋骨の縫合の可動性の悪さを改善して、脳脊髄液の循環不良を改善することができる。
【００３８】
第１，２小球体２１，２２が頸椎中央部の筋（頭半棘筋、頚棘筋など）に当たることで、図８に示すように、２つの小球体２１，２２の間に形成される溝が頸椎の棘突起を挟み込む。これにより、使用時に、頸椎が左右方向にずれることを防ぐことができる。
【００３９】
第３，４大球体１３，１４が頚椎下部の筋（頭半棘筋、頚棘筋など）に当たることで、第１，２大球体１１，１２および第１，２小球体２１，２２への圧力を支え、第１，第２大球体１１，１２および第１，２小球体２１，２２が、後頭骨筋および頸椎中央部の筋から左右方向へずれることを防ぐことができる。また、第３，４大球体１３，１４が頚椎下部の筋を指圧することにより、頸椎下部の筋などが緩み、肩こりを改善することができる。
【００４０】
本実施の形態の指圧具１を用いることにより、従来では、整骨院などの専門医しか施術することができなかった静止点誘導法を一般家庭でも実践することができる。これにより、脳脊髄液の流通を円滑に行うことが可能となるため、体調不良を改善することができる。
【００４１】
また、脊椎は、重たい頭を支えるために、適度なＳ字カーブを描くことが正常である。図７（ａ）に示すように、指圧具１は、後頭骨筋、頸椎中央部の筋および頸椎下部の筋を、第１，２大球体１１，１２、第１，２小球体２１，２２および第３，４大球体１３，１４で支持することができるため、後頭骨筋から頸椎中央部の筋、頸椎下部の筋へ続く正常な頸椎前湾（Ｓ字カーブ）を形成することができる。
【００４２】
＜実施の形態２＞
図９は、実施の形態２に係る指圧具１Ａを模式的に示す図である。上記実施の形態において、大球体１１〜１４は、すべて同じ大きさであるとしたが、図９に示すように異なっていてもよい。
【００４３】
本実施の形態では、第１大球体１１Ａおよび第２大球体１２Ａは、同じ大きさであり、第３大球体１３Ａおよび第４大球体１４Ａは、同じ大きさである。第３大球体１３Ａおよび第４大球体１４Ａの大きさは、第１大球体１１Ａおよび第２大球体１２Ａの大きさよりも大きい。
【００４４】
＜実施の形態３＞
図１０は、実施の形態３に係る指圧具１Ｂを模式的に示す図である。図１０は、図２に示す実施の形態１が実施の形態３であると仮定した場合に、一点鎖線Ｘ−Ｘに沿って見た断面図である。上記実施の形態において、第１〜４大球体１１〜１４，１１Ａ〜１４Ａおよび第１，２小球体２１，２２，２１Ａ，２２Ａは、球体であるとしたが、図１０に示すように球体でなくてもよい。
【００４５】
図１０を参照して、本実施の形態では、指圧具１Ｂは、４つの第１〜４大球面体１１Ｂ〜１４Ｂ（第１，４大球面体１１Ｂ，１４Ｂについては、図示せず）と、第１，２小球面体２１Ｂ，２２Ｂ（第１小球面体２１Ｂについては、図示せず）とを備える。指圧具１Ｂは、上述した指圧具１，１Ａとは異なり、４つの第１〜４大球面体１１Ｂ〜１４Ｂと、２つの小球面体２１Ｂ，２２Ｂとが一体成型されている。４つの大球面体１１Ｂ〜１４Ｂは、上を向いた面が球面であり、下を向いた面が平坦面である。つまり、４つの大球面体１１Ｂ〜１４Ｂは、略半球体である。２つの小球面体２１Ｂ，２２Ｂは、上を向いた面が球面である。２つの小球面体２１Ｂ，２２Ｂは、大球面体よりも曲率半径が小さくなるように形成されている。
【００４６】
なお、上記実施の形態１，２において、第１〜４大球体１１〜１４，１１Ａ〜１４Ａの下方に板状部材を配置し、第１〜４大球体１１〜１４，１１Ａ〜１４Ａと板状部材とを接着剤で固定してもよい。これにより、指圧具１を水平に保つことができるため、後頭骨、頸椎中央部の筋、頸椎下部の筋にそれぞれの球面を正確に指圧させることができる。
【００４７】
また、上記実施の形態１，２において、第１大球体１１と第２大球体１２、第３大球体１３と第４大球体１４、および、第１小球体２１と第２小球体２２は、それぞれ接していた。しかし、第１大球体１１と第２大球体１２との間、第３大球体１３と第４大球体１４との間、および、第１小球体２１と第２小球体２２との間には、隙間が設けられていてもよい。
【００４８】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４９】
１  指圧具、１１，１１Ａ  第１大球体、１１Ｂ  第１大球面体、１２，１２Ｂ  第２大球体、１２Ｂ  第２大球面体、１３，１３Ｂ  第３大球体、１３Ｂ  第３大球面体、１４，１４Ａ  第４大球体、１４Ｂ  第４大球面体、１１Ｂ、２１，２１Ａ  第１小球体、２１Ｂ  第１小球面体、２２，２２Ａ  第２小球体、２２Ｂ  第２小球面体。
【図１】
0003212372.tif 000003
【図２】
0003212372.tif 000004
【図３】
0003212372.tif 000005
【図４】
0003212372.tif 000006
【図５】
0003212372.tif 000007
【図６】
0003212372.tif 000008
【図７】
0003212372.tif 000009
【図８】
0003212372.tif 000010
【図９】
0003212372.tif 000011
【図１０】
0003212372.tif 000012
【図１１】
0003212372.tif 000013
【図１２】
0003212372.tif 000014